(57)【要約】【課題】猫砂の粒の大きさによって異なるスコップを用意する必要が無く、排泄物の固まりを逃さずにキャッチし素早く固まりだけをとることができ、また、あらゆる角度から固まりをキャッチすることができるペットトイレ用スコップを提供する。【解決手段】大粒猫砂用の穴を設けた大粒用皿を備えた大粒用スコップ部材と、小粒猫砂用の穴を設けた小粒用皿を備えた小粒用スコップ部材とが回転自在に係合されたペットトイレ用はさみ型スコップ。【選択図】図１
2007097485.tif 000002
【特許請求の範囲】
【請求項１】
大粒猫砂用の穴を設けた大粒用皿を備えた大粒用スコップ部材と、小粒猫砂用の穴を設けた小粒用皿を備えた小粒用スコップ部材とが回転自在に係合されたペットトイレ用はさみ型スコップ。
【請求項２】
前記大粒用皿、および前記小粒用皿がオタマ型の形状であることを特徴とする請求項１記載のペットトイレ用はさみ型スコップ。
【請求項３】
前記大粒猫砂用の穴および前記小粒猫砂用の穴が丸型の穴であり、それぞれ皿の外延側から中心に向かって、設けられている穴の径が小さなくなることを特徴とする請求項１または２記載のペットトイレ用はさみ型スコップ。
【請求項４】
大粒用スコップ部材と、小粒用スコップ部材とが分解自在に係合していることを特徴とする請求項１〜３のいずれか１項に記載のペットトイレ用はさみ型スコップ。
【請求項５】
透明もしくは半透明の素材で形成されていることを特徴とする請求項１〜４のいずれか１項に記載のペットトイレ用はさみ型スコップ。
【請求項６】
オタマ型の形状の皿に複数の穴が設けられ、皿の外延側から中心に向かって、設けられている穴の径が小さなくなるように穴が配置されたことを特徴とするペットトイレ用スコップ。
【発明の詳細な説明】
【技術分野】
【０００１】
本発明は、ペットトイレの排泄物を取り除くための用品、詳しくは、ペットトイレ用スコップに関するものである。
【背景技術】
【０００２】
一般に猫砂と呼ばれている、猫に代表されるペットなどの愛玩動物の排泄物処理剤（ペットトイレ砂）には、排泄物を吸収して団塊を形成する固まるタイプと、排泄物を吸収するが塊状化しないタイプに大別される。そのうち固まるタイプは、排泄物を廃棄する際に固まりのみを取り除くだけでよいため、汚染された猫砂の廃棄作業が容易であり、現在では市場の主流となっている。従来、ペットトイレの清掃の際は、凝集した排泄物は、長方形状の穴が一定のピッチで開いた穴あきのスコップですくい、汚れていない猫砂をふるい落とした上で廃棄する方法が提案されている（例えば、特許文献１参照）。
【０００３】
猫砂にはペットの種類などに合わせて多種の種類が存在し、大きさに関しては細かい物からペレット状の大きな物まであり、素材に関してもベントナイト系、紙系、木系、おから系等が存在する。飼い主の中には使用目的により素材・大きさを頻繁に変える人もいる。そういう人にとっては、用いる穴あきスコップも猫砂の大きさにより変え購入しており、不経済であった。
【０００４】
また、固まりをすくう際、従来のスコップを用いた場合、固まりが逃げてしまい、すくいづらい場合があった。また、未汚染砂と共にすくったときに、固まりだけを取るために何度もスコップを揺すらなければならないといった問題点があった。
【特許文献１】特開２００４−２４２６５６号公報
【発明の開示】
【発明が解決しようとする課題】
【０００５】
本発明は、猫砂の粒の大きさによって異なるスコップを用意する必要が無く、固まりを逃さずにキャッチし素早く固まりだけをとるペットトイレ用スコップを提供することを目的とする。また、猫の性格によってトイレの様々な箇所へ排泄行為を行うので、従来のような一方方向からではなくあらゆる角度から固まりをキャッチできるスコップを提供することを目的とする。さらに、固まりが多い場合には、一つ一つ固まりを取り除く作業があり、従来品よりもスピーディーに作業が行えるスコップを提供することを目的とする。
【課題を解決するための手段】
【０００６】
本発明者らは、上記課題を解決するため、鋭意検討した結果、スコップをはさみ型にし、さらには様々な穴径の付加及び穴の形を丸型にすることによって、大粒用・小粒用の両方の機能を付加し、更に固まりをどんな方向からでもキャッチすることができることを見出し、本発明をなすに至ったものである。
すなわち、本発明は、
（１）大粒猫砂用の穴を設けた大粒用皿を備えた大粒用スコップ部材と、小粒猫砂用の穴を設けた小粒用皿を備えた小粒用スコップ部材とが回転自在に係合されたペットトイレ用はさみ型スコップ、
（２）前記大粒用皿、および前記小粒用皿がオタマ型の形状であることを特徴とする（１）項記載のペットトイレ用はさみ型スコップ、
（３）前記大粒猫砂用の穴、および前記小粒猫砂用の穴が丸型の穴であり、それぞれの皿の外延側から中心に向かって、設けられている穴の径が小さくなることを特徴とする（１）または（２）記載のペットトイレ用はさみ型スコップ、
（４）大粒用スコップ部材と、小粒用スコップ部材とが分解自在に係合していることを特徴とする（１）〜(３）のいずれか１項に記載のペットトイレ用はさみ型スコップ、
（５）透明もしくは半透明の素材で形成されていることを特徴とする（１）〜（４）のいずれか１項に記載のペットトイレ用はさみ型スコップ、および
（６）オタマ型の形状の皿に複数の穴が設けられ、皿の外延側から中心に向かって、設けられている穴の径が小さなくように穴が配置されたこと特徴とするペットトイレ用スコップ
を提供するものである。
【発明の効果】
【０００７】
本発明により、様々なサイズの猫砂で使用された固まりを手軽で的確に、スピーディーに、かつ衛生的に取り除くことができる。
【発明を実施するための最良の形態】
【０００８】
以下、本発明の好ましい実施態様について、図面を参照して説明するが、本発明はこれに限定されるものではない。
【０００９】
図１は本発明の好ましい実施態様の斜視図である。本発明のペットトイレ用はさみ型スコップは、大粒用スコップ部材１と、小粒用スコップ部材２とが、ジョイント部３で回転自在に係合されたはさみ型の形状をしたものである。大粒用スコップ部材１は一方の端に大粒用皿４を有し、また、小粒用スコップ部材２は一方の端に小粒用皿５を有している。また大粒用スコップ部材１の大粒用皿４の反対側の端には握り部６が設けられている。また小粒用スコップ部材２の小粒用皿５の反対側の端には握り部７が設けられている。また、大粒用皿４と小粒用皿５は薄いオタマ状で、はさみ型スコップを閉じたときに、大粒用皿４と小粒用皿５は、内部に空間部を有するような状態で、それぞれの上部外周面同士が重なって密着する。
【００１０】
図１に示す態様のはさみ型スコップを用いて、ペットトイレを清掃する際は、例えば、まず握り部６の穴に中指を入れ、同じ手の親指を握り部７の穴に入れ、手を開いて、スコップを開いた状態にする。次いで、大粒の猫砂を用いてある場合には、開いた状態のまま、目的とする固たまりの近傍の猫砂に大粒用皿４を差し込むように入れ、握り部６，７に通した指の手を握ると、はさみ型スコップが閉じ、大粒用皿４と小粒用皿５とが密着し、排泄物等の固まりが、大粒用皿４と小粒用皿５とが作る空間部に収納され、廃棄される。本発明のスコップは、はさみ型であるので、固まりを逃さず的確にすくうことができる。また、両スコップ面は薄いオタマ型とすることで、使用者の使いやすい方向から固まりをキャッチすることができる。
【００１１】
図２Ａは大粒用スコップ部材１の平面図、図２Ｂは小粒用スコップ部材２の平面図である。図２ＡおよびＢに示されるように、はさみ型の片方の皿には大粒猫砂用の穴８、もう一方には小粒猫砂用の穴９がついていて使い分けができ、それぞれの穴の形状を適宜設定することで、一つの本発明のはさみ型スコップで、現在販売されているほとんどの種類に対応することができる。また、穴の形を縦横均一型（例えば、丸型等）にすることで、この穴の径（一辺、もしくは直径）の長さ以下の径の猫砂であれば、どんな方向でもスムーズに未使用猫砂が穴をすり抜け、トイレに戻すことができる。
例えば、大粒用皿４の穴８を径が５〜３０ｍｍの丸型の穴で構成し、小粒用皿５の穴９を径が３〜１５ｍｍの丸型の穴で構成することができる。
【００１２】
図２Ａおよび２Ｂに示されるように、穴８，９は、それぞれの皿４，５の外延側から中心に向かって、大部分の穴の径が小さくなるように設けられている。この穴の配置により、未使用の猫砂はすくい上げた最初の時点で軽く揺するだけで素早く取り除かれ、処理対象物が中央付近に到達した時点では、ほぼ固まりだけを残すことができる。
【００１３】
また、上記のようにオタマ型の形状の皿に複数の穴が設けられ、皿の外延側から中心に向かって、設けられている穴の径が小さなくように穴が配置された穴あきスコップは、はさみ型のもののみならず、１本単独のペット用スコップであっても好ましい。１本単独のスコップにおいても、このように穴が配置されることでペット用トイレから固まりとともに猫砂をすくい上げれば、軽く揺するだけで未使用の猫砂は素早くトイレに戻すことができる。
【００１４】
また、図２Ｂに示されるように、小粒用スコップ部材２には、ジョイント部３を形成する凸部１０が設けられ、凸部１０は、円柱状で上端に前後に張り出した羽根１２を有している。一方、図２Ａに示されるように、大粒用スコップ部材１には、ジョイント部３を形成する凹部１１が設けられている。この実施態様では凹部１１は貫通穴で形成されている。この凹部１１の厚さは、凸部の羽根１２を除く円柱の高さよりも短く形成されている。
【００１５】
図３Ａは、大粒用スコップ部材１のジョイント部を拡大した側面図である。図３Ａに示すように貫通孔からなる凹部１１が設けられている。
一方、図３Ｂは、小粒用スコップ部材２のジョイント部を拡大した側面図（図２Ｂの平面図に対する右側面図）である。図３Ｂに示すように、羽根１２を有する凸部１０が設けられている。
【００１６】
ジョイント部を上方から見た場合、凸部１０と、凹部１１とは相似の形状であるが、凸部１０の形状の方がやや小さく形成されている。大粒用スコップ部材１と小粒用スコップ部材２を９０度で交差させ、凹部１１に凸部１０を嵌め込むことで、容易に、大粒用スコップ部材１と小粒用スコップ部材２を回転自在に係合させ、本発明のはさみ型スコップを組み立てることができる。また、本発明のはさみ型スコップは、大粒用スコップ部材１と小粒用スコップ部材２を９０度で交差させ、凹部１１から凸部１０をはずうすことで、容易に分解することができる。このように、大粒用スコップ部材１と小粒用スコップ部材２とは、容易に分解することができるので、簡単に洗浄することができ、衛生的である。
ジョイント部の形状は、図３ＡおよびＢに示される形状に限定されるものでないが、容易に各部材を分解・結合できるものが好ましい。
【００１７】
図４Ａは、大粒用スコップ部材１の側面図である。また、図４Ｂは、小粒用スコップ部材２の側面図である。なお、図４Ａおよび図４Ｂ中の符号は、図３Ａおよび図３Ｂ中の符号と同義である。また、図４Ａおよび図４Ｂでは、穴８、９の記載は省略してある。はさみ型スコップを閉じた場合に、大粒用皿面４と小粒用皿面６とが空間部を作るような方向で、大粒用スコップ部材１と小粒用スコップ部材２とを凹部１１に凸部１０を嵌め込むことで、固まりを逃さず的確にすくうことができるペットトイレ用のスコップとすることができる。
【００１８】
本発明のはさみ型スコップの材質は、限定されるものではなく、例えば、通常のプラスチックを常法により成形して用いることができる。また、本発明のはさみ型スコップの素材の色は、限定されるものではないが、透明もしくは半透明であることが、中の固まりの状況を、スコップを閉じたまま判断できるので好ましい。
【００１９】
本発明のはさみ型スコップの大きさは特に限定されるものではなく、使用目的に応じて適宜選択することができるが、例えば、全体の長さを１０〜３０ｃｍ、オタマ状皿の大きさを縦５〜２０ｃｍ、横５〜２０ｃｍ、深さ０．５〜１０ｃｍとして形成することができる。
【図面の簡単な説明】
【００２０】
【図１】本発明の好ましい実施態様のペットトイレ用はさみ型スコップの斜視図である。
【図２】図２Ａは大粒用スコップ部材の平面図、図２Ｂは小粒用スコップ部材の平面図である。
【図３】図３Ａは大粒用スコップ部材のジョイント部を拡大した側面図、図３Ｂは小粒用スコップ部材のジョイント部を拡大した側面図である。
【図４】図４Ａは大粒用スコップ部材の側面図、図４Ｂは小粒用スコップ部材の側面図である。
【符号の説明】
【００２１】
１  大粒用スコップ部材
２  小粒用スコップ部材
３  ジョイント部
４  大粒用皿
５  小粒用皿
６，７  握り部
８，９  穴
１０  凸部
１１  凹部
１２  羽根
【図１】
2007097485.tif 000003
【図２】
2007097485.tif 000004
【図３】
2007097485.tif 000005
【図４】
2007097485.tif 000006